(57)【要約】      （修正有）【課題】補強板の強度低下が生じることなく、接着層に吸湿された水分等が蒸発してなる気体等が放出可能な電気光学装置、実装構造体及び電子機器を提供すること。【解決手段】電気光学パネルと、電気光学パネルと電気的に接続する対向する第１面３１ａと第２面３１ｂとを有する第１基板３１と、第１面側３１ａに設けられた第２基板３３と、第１基板３１と第２基板３３とを接着する通気部３４ａを有する接着層３４とを具備する。これにより、接着層３４中に含まれる水分等が蒸発しても、その気体等は通気部３４ａを通って外部に放出されるので、気泡の発生を防止することができる。これにより、気泡発生による第１基板３１と第２基板３３との密着力低下を防止する。【選択図】  図３
2008083207.tif 000002
【特許請求の範囲】
【請求項１】
電気光学パネルと、
前記電気光学パネルと電気的に接続し、第１面と第２面とを有する第１基板と、
前記第１面側に設けられた第２基板と、
前記第１基板と前記第２基板とを接着する接着部に通気部を有する接着層と
を具備することを特徴とする電気光学装置。
【請求項２】
前記第２面に実装された電子部品を更に具備することを特徴とする請求項１記載の電気光学装置。
【請求項３】
前記第１基板は可撓性基板であることを特徴とする請求項１又は請求項２記載の電気光学装置。
【請求項４】
前記通気部は溝形状を有することを特徴とする請求項１から請求項３のいずれか一項に記載の電気光学装置。
【請求項５】
前記通気部の平面形状は格子状であることを特徴とする請求項１から請求項３のいずれか一項に記載の電気光学装置。
【請求項６】
前記接着層の平面形状が島状であることを特徴とする請求項１から請求項３のいずれか一項に記載の電気光学装置。
【請求項７】
前記接着層の平面形状が放射状であることを特徴とする請求項１から請求項３のいずれか一項に記載の電気光学装置。
【請求項８】
前記接着層の表面形状が凹凸を有することを特徴とする請求項１から請求項３のいずれか一項に記載の電気光学装置。
【請求項９】
対向する第１面と第２面とを有する第１基板と、
前記第１面側に設けられた第２基板と、
前記第１基板と前記第２基板とを接着する通気部を有する接着層と
を具備することを特徴とする実装構造体。
【請求項１０】
請求項１から請求項８いずれか一項に記載の電気光学装置を備えることを特徴とする電子機器。
【発明の詳細な説明】
【技術分野】
【０００１】
本発明は、パーソナルコンピュータや携帯電話機等に用いられる実装構造体、その実装構造体を用いた電気光学装置及びその電気光学装置を用いた電子機器に関する。
【背景技術】
【０００２】
従来、パーソナルコンピュータや携帯電話機等の電子機器の表示装置として液晶装置等の電気光学装置がある。液晶装置では、例えば配線基板を介して液晶パネルと回路基板とが電気的に接続されている。配線基板と回路基板とは、配線基板に実装されているコネクタによって電気的に接続されている。
【０００３】
このような配線基板では、フレキシブル基板に電子部品が実装され、フレキシブル基板の電子部品が実装される面の裏面の電子部品に対応した領域にポリイミドやガラスエポキシなどからなる補強板が接着層を介して貼り付けられている。
【０００４】
上述のような配線基板においては、補強板が貼り付けられた状態のフレキシブル基板に実装部品を実装するが、電子部品を実装する際の熱処理工程により、接着層に吸湿された水分等が蒸発してフレキシブル基板と補強板との間に気泡が生じる。この気泡が生じた領域はフレキシブル基板が浮いた状態となって補強板との密着力が低下するという欠点があった。また、気泡が生じた領域のフレキシブル基板の浮きによって電子部品が適正に実装されず、フレキシブル基板と電子部品との接続不良を招くという欠点があった。
【０００５】
そこで、このような問題に対して、補強板に蒸発した気体等が抜け出るための通気孔を設けることが提案されている（例えば、特許文献１参照。）。
【特許文献１】特開平１０−６５３２０号公報（段落[００１１]、図１２）。
【発明の開示】
【発明が解決しようとする課題】
【０００６】
しかしながら上述の補強板に通気孔を設ける方法では、補強板の強度低下を招くといった問題があった。
【０００７】
本発明は、上述の課題に鑑みてなされるもので、補強板の強度低下が生じることなく、接着層に吸湿された水分等が蒸発してなる気体等が放出可能な電気光学装置、実装構造体及び電子機器を提供することを目的とする。
【課題を解決するための手段】
【０００８】
上記目的を達成するために、本発明の主たる観点に係る電気光学装置は、電気光学パネルと、前記電気光学パネルと電気的に接続する対向する第１面と第２面とを有する第１基板と、前記第１面側に設けられた第２基板と、前記第１基板と前記第２基板とを接着する接着部に通気部を有する接着層とを具備することを特徴とする。
【０００９】
ここで、「電気光学パネル」とは例えば液晶パネルのことであり、「第１基板」とは例えば当該液晶パネルに接続されたフレキシブル基板のことであり、「第２基板」とは例えば補強板のことをいう。
【００１０】
本発明は、接着層に通気部を設けたので、第１基板と第２基板との間を接着する接着層中に含まれる水分等が蒸発しても、その気体等は通気部を通って外部に放出されるので、気泡の発生を防止することができる。従って、第２基板の強度を低下させることなく、気泡発生による第１基板と第２基板との密着力低下を防止することができる。
【００１１】
本発明の一の形態によれば、前記第２面に実装された電子部品を更に具備することを特徴とする。これにより、第１基板と第２基板との密着力が良い状態で電子部品を実装することができるので、電子部品と第１基板との電気的な接続不良が発生しにくい。
【００１２】
本発明の一の形態によれば、前記第１基板は可撓性基板であることを特徴とする。このように第１基板が可撓性である場合に、通気部を有する接着層を設けることは特に有効である。すなわち、第１基板が可撓性である場合、気泡発生による第１基板の浮きが顕著に現れるので、第１基板と第２基板との密着力の低下が特に発生しやすい。これに対し、本発明では、通気部を有する接着層を設けているので、第１基板と第２基板との間を接着する接着層中に含まれる水分等が蒸発しても、その気体等は通気部を通って外部に放出されるので、気泡の発生を防止することができる。従って、気泡発生による第１基板と第２基板との密着力低下を防止することができる。
【００１３】
本発明の一の形態によれば、前記通気部は溝形状を有することを特徴とする。このように通気部を溝形状とすることができる。
【００１４】
本発明の一の形態によれば、前記通気部の平面形状は格子状であることを特徴とする。このように通気部の平面形状を格子状とすることができる。
【００１５】
本発明の一の形態によれば、前記接着層の平面形状が島状であることを特徴とする。このように接着層の平面形状を島状とすることができる。
【００１６】
本発明の一の形態によれば、前記接着層の平面形状が放射状であることを特徴とする。このように接着層の平面形状が放射状とすることができる。
【００１７】
本発明の一の形態によれば、前記接着層の表面形状が凹凸を有することを特徴とする。このように接着層の表面形状が凹凸を有していても良い。
【００１８】
本発明の実装構造体は、対向する第１面と第２面とを有する第１基板と、前記第１面側に設けられた第２基板と、前記第１基板と前記第２基板とを接着する通気部を有する接着層とを具備することを特徴とする。
【００１９】
本発明は、接着層に通気部を設けたので、第１基板と第２基板との間を接着する接着層中に含まれる水分等が蒸発しても、その気体等は通気部を通って外部に放出されるので、気泡の発生を防止することができる。従って、第２基板の強度を低下させることなく、気泡発生による第１基板と第２基板との密着力低下を防止することができる。
【００２０】
本発明の電子機器は、上述に記載の電気光学装置を備えることを特徴とする。
【００２１】
本発明のこのような構成によれば、接続不良のない高品質の電子機器を得ることができる。
【発明を実施するための最良の形態】
【００２２】
（電気光学装置及び実装構造体）
【００２３】
以下、本発明の実施形態を図面に基づき説明する。なお、以下実施形態を説明するにあたっては、実装構造体及び電気光学装置の例としてＴＦＴ（Ｔｈｉｎ  Ｆｉｌｍ  Ｔｒａｎｎｓｉｓｔｏｒ）アクティブマトリックス型の液晶装置、またその液晶装置を用いた電子機器について説明するが、これに限られるものではない。また、以下の図面においては各構成をわかりやすくするために、実際の構造と各構造における縮尺や数等が異なっている。
【００２４】
図１は、本発明に係る液晶装置の概略斜視図である。図２は図１のＡ−Ａ線断面図である。図３は、図１の円Ｂで囲まれた領域の部分拡大斜視図であり、配線基板の電子部品としてコネクタが実装された領域の図である。図４は、フレキシブル基板と補強板とを接着する接着層の平面形状を説明するための図である。図５は、図３のＣ−Ｃ線断面図である。
【００２５】
液晶装置１は、図１及び図２に示すように、電気光学パネルとしての液晶パネル２、当該液晶パネル２に電気的に接続された実装構造体としての配線基板３等を有する。ここで、液晶装置１には、配線基板３の他にも、バックライト等の照明装置やその他の付帯機構が必要に応じて付設される（図示しない）。
【００２６】
液晶パネル２は、図１及び図２に示すようにシール材４を介して貼り合わされたアレイ基板５及び対向基板６、これらの基板の間隙に封入されたＴＮ（Ｔｗｉｓｔｅｄ  Ｎｅｍａｔｉｃ）型の液晶７等を有する。
【００２７】
アレイ基板５及び対向基板６は、夫々例えばガラスといった透光性を有する板状部材からなる第１の基材５ａ及び第２の基材６ａを有し、図２に示すように第１及び第２の基材５ａ，６ａの外側には入射光を偏向させるための偏光板８，９が夫々貼着されている。
【００２８】
第１の基材５ａ上には、互いに交差する複数のソース配線（図示せず）及び複数のゲート線（図示せず）が設けられ、これらソース配線及びゲート配線の交差部毎にＴＦＴ（図示せず）が設けられている。更にＴＦＴに電気的に接続する画素電極１３が設けられ、これらソース線、ゲート線、ＴＦＴ及び画層電極１３を覆うように配向膜１２が設けられている。
【００２９】
第２の基材６ａ上には、共通電極４１及びこれを覆う配向膜４２が設けられている。
【００３０】
第１の基材５ａは第２の基材６ａの外周縁から張出した張出し部１４を有し、当該張出し部１４には複数の入力用接続端子（図示せず）が設けられている。入力用接続端子の一端はソース線、ゲート線に及び共通電極４１と電気的に接続し、他端は配線基板３と電気的に接続している。
【００３１】
配線基板３は、対向する第１面３１ａと第２面３１ｂとを有する第１基板としてのフレキシブル基板３１と、フレキシブル基板３１の第１面３１ａに接着層３４を介して貼り付けられた第２基板としての補強板３３と、フレキシブル基板３２の第２面３１ｂに実装された電子部品としてのコネクタ３２とを有する。フレキシブル基板３１上には図示しない配線が設けられている。
【００３２】
フレキシブル基板３１は矩形の一辺から該矩形よりも小さい矩形が突出した形状をしており、この突出した部分にコネクタ３２が実装され、コネクタ３２が実装される面（第２面３１ｂ）と対向する面（第１面３１ａ）に、コネクタ３２が実装される領域に対応して補強板３３が設けられている。
【００３３】
フレキシブル基板３１は可撓性基板であり、液晶装置１としたときにアレイ基板５側に折り曲げられる。補強板３３は、ポリイミドやガラスエポキシなどからなる。
【００３４】
次に、図３〜図５を用いて、フレキシブル基板３１と補強板３３とを接着する接着部３５に設けられた接着層３４の形状について説明する。
【００３５】
図３は、図１の円Ｂで囲まれた領域、すなわち配線基板３のコネクタが実装される領域の部分分解斜視図である。図４は、接着層３４の平面形状を示す平面図である。図５は、図３のＣ−Ｃ線断面図である。
【００３６】
図３〜図５に示すように接着層３４は島形状を有しており、複数の接着層３４の島が行列状に配置されることにより格子状の通気部３４ａを形成している。通気部３４ａは、外部と連通した形状となっている。
【００３７】
ここで、フレキシブル基板３１に補強板３３が貼り付けられた状態で、コネクタ３２は半田付けされて実装される。従来、この工程で、吸湿されていた接着層３４中の水分等が蒸発して気体等となって接着層３４中に気泡が発生し、補強板３３のフレキシブル基板３１への密着力が低下するという欠点があった。これに対し、本実施形態においては、接着層３４に通気部３４ａを設けることにより、半田付け工程で発生する気体等は通気部３４ａを通って外部に放出されるので、気泡の発生を防止することができる。従って、補強板３３の強度を低下させることなく、気泡発生による補強板３３とフレキシブル基板３１との密着力低下を防止することができる。更に、補強板３３とフレキシブル基板３１との間の気泡発生による局部的なフレキシブル基板の浮きが生じないので、コネクタ３２とフレキシブル基板３１との接続不良の発生を防止することができる。また、接着層３４の形成面積密度が基板面内でほぼ均一となるように接着層３４を設けているので、補強板３３とフレキシブル基板３１との密着力を基板面内で均一に保持することができ、コネクタ３２とフレキシブル基板３１との接着不良の発生を防止することができる。また、接着層中の水分等が蒸発してなる気体等は通気部を通って外部に放出されるので、脱泡処理する工程を減らすことができ、作業効率が向上する。
【００３８】
上述の実施形態においては通気部３４ａの形状が格子状を有していたが、これに限定されるものでなく、接着層が外部と連通する通気部を有すればよい。以下に他の実施形態について図６〜図１０を用いて説明する。各実施形態においても、上述の実施形態と同様に、接着層に通気部を設けることにより、半田付け工程で発生する気体等は通気部を通って外部に放出されるので、気泡の発生を防止することができる。
【００３９】
図６は他の実施形態の接着層形状を示す平面図である。図７は更に他の実施形態の接着層形状を示す平面図である。図８は更に他の接着層形状を示す平面図である。図９は更に他の実施形態の接着層形状を示す斜視図である。図１０は更に他の実施形態の接着層形状を示す斜視図である。
【００４０】
図６に示すように、複数の縦長の矩計の島状の接着層１３４をストライプ状に設け、溝状の通気部１３４ａを設けても良い。
【００４１】
図７に示すように、接着層２３４を島形状に形成して千鳥状に配置し、通気部２３４ａを設けても良い。
【００４２】
図８に示すように、接着層３３４を放射状に形成して配置し、通気部３３４ａを設けても良い。
【００４３】
上述の実施形態では、いずれも島状に接着層を形成したが、図９に示すように表面形状が凹凸の接着層４３４を設け、凹部により形成される通気部４３４ａを設けても良い。この通気部４３４ａは溝形状を有しているが、例えば格子状にしてもよい。
【００４４】
また、図１０に示すように、フレキシブル基板３１の配線形成と同時工程でレジストなどによりストライプ状のパターン５３１を形成し、この上に接着層５３４を設けることによって、パターン５３１が形成されない領域が凹部となって通気部５３４ａとなるようにしても良い。この通気部５３４ａは溝形状を有しているが、例えば格子状にしてもよい。
【００４５】
また、通気部を有する接着層が、フレキシブル基板３１と補強板３３とを貼り合わせる際に、押圧によって接着層が広がって通気部が消失しにくいように、フレキシブル基板３１と補強板３３との間隙をある一定の距離に保持するスペーサを設けても良い。
【００４６】
（電子機器）
【００４７】
次に、上述した液晶装置１を備えた電子機器について説明する。
【００４８】
図１１は本発明に係る携帯電話機の外観概略図及び図１２はパーソナルコンピュータの外観概略図である。
【００４９】
例えば、携帯電話機５００は、図１１に示すように複数の操作ボタン５７１の他、受話口５７２、送話口５７３を有する外枠に例えば、液晶装置１を備えている。
【００５０】
また、パーソナルコンピュータ６００は、図１２に示すようにキーボード６８１を備えた本体部６８２と、液晶表示ユニット６８３とから構成されており、液晶表示ユニット６８３は外枠に例えば、液晶装置１を備えている。
【００５１】
これらの電子機器は、液晶装置１の他に図示しないが表示情報出力源、表示情報処理回路等の様々な回路及びそれらの回路に電力を供給する電源回路等からなる表示信号生成部等を含んで構成される。
【００５２】
更に液晶装置１には例えば、パーソナルコンピュータ６００の場合にあってはキーボード６８１から入力された情報に基づき表示信号生成部によって生成された表示信号が供給されることによって、表示画像が液晶装置１に表示される。
【００５３】
本実施形態によれば、コネクタ３２とフレキシブル基板３１上の配線との接続不良のない配線基板３を有する液晶装置１を備えるので、接続不良のない電子機器を得ることができる。
【００５４】
尚、電子機器としては、他に液晶装置が搭載されたタッチパネル、プロジェクタ、液晶テレビやビューファインダ型、モニタ直視型のビデオテープレコーダ、カーナビゲーション、ページャ、電子手帳、電卓等が挙げられる。そして、これらの各種電子機器の表示部として、上述した例えば液晶装置１が適用可能なのは言うまでもない。
【００５５】
また、本発明は上述したいずれの実施形態にも限定されず、本発明の技術思想の範囲内で適宜変更して実施できる。また、本発明の要旨を逸脱しない範囲において、上述した各実施形態、変形例を組み合わせ得る。
【００５６】
例えば上述した実施形態では、液晶装置の一例として薄膜トランジスタ素子アクティブマトリクス型の液晶装置について説明したがこれに限られるものではなく、例えば、薄膜ダイオード素子アクティブマトリクス型やパッシブマトリクス型の液晶装置であってもよい。
【図面の簡単な説明】
【００５７】
【図１】本発明の一実施形態に係る液晶装置の概略斜視図である。
【図２】図１のＡ−Ａ線断面図である。
【図３】本発明の一実施形態に係る配線基板の部分分解斜視図である。
【図４】本発明の一実施形態に係る接着層の平面図である。
【図５】図３のＣ−Ｃ線断面図である。
【図６】本発明の他の実施形態に係る接着層の平面図である。
【図７】本発明の更に他の実施形態に係る接着層の平面図である。
【図８】本発明の更に他の実施形態に係る剤の平面図である。
【図９】本発明の更に他の実施形態に係る接着層の斜視図である。
【図１０】本発明の更に他の実施形態に係る接着層の斜視図である。
【図１１】本発明の更に他の実施形態に係る携帯電話機の外観概略図である。
【図１２】本発明の更に他の実施形態に係るパーソナルコンピュータの外観概略図である。
【符号の説明】
【００５８】
１  液晶装置、  ２  液晶パネル、  ３  配線基板、  ４  シール材、  ５  アレイ基板、  ６  対向基板、  ７  液晶、  ８，９  偏光板、  １２，４２  配向膜、  １３  画素電極、  １４  張出し部、  ４１  共通電極、  ３１  フレキシブル基板、  ３１ａ  第１面、  ３１ｂ  第２面、  ３２  コネクタ、  ３３  補強板、  ３４，１３４，２３４，３３４，４３４，５３４  接着層、  ３４ａ，１３４ａ，２３４ａ，３３４ａ，４３４ａ，５３４ａ  通気部、  ３５  接着部、  ４１  共通電極、  ５００  携帯電話機、  ５７１  操作ボタン、  ５７２  受話口、  ５７３  送話口、  ６００  パーソナルコンピュータ、  ６８１  キーボード、  ６８２  本体部、  ６８３  液晶表示ユニット
【図１】
2008083207.tif 000003
【図２】
2008083207.tif 000004
【図３】
2008083207.tif 000005
【図４】
2008083207.tif 000006
【図５】
2008083207.tif 000007
【図６】
2008083207.tif 000008
【図７】
2008083207.tif 000009
【図８】
2008083207.tif 000010
【図９】
2008083207.tif 000011
【図１０】
2008083207.tif 000012
【図１１】
2008083207.tif 000013
【図１２】
2008083207.tif 000014